(57)【要約】【課題】良好な保温性を確保しつつ締め付け感や圧迫感を着用者に与えず且つ肌触りもよい肩掛けを提供する。【解決手段】着用者の肩ならびに肩に隣接する胸部分および背中上部を覆う本体部１０と衿部１２とからなる肩掛け１００が、綿繊維からなる中空糸を使用して無縫製の編物として作製される。この肩掛け１００の衿部１２は、着用者の首を巻くように編成されており、この肩掛け１００の左右端部は、着用者の腕を囲むように環状に編成されている。【選択図】図１
0003123923.tif 000002
【実用新案登録請求の範囲】
【請求項１】
肌に触れたときにちくちくしない程度に柔軟な繊維からなる嵩高性を有する糸で編まれた無縫製の編物であることを特徴とする肩掛け。
【請求項２】
前記糸は、綿繊維からなる中空糸であることを特徴とする、請求項１に記載の肩掛け。
【請求項３】
前記糸は、空気精紡機によって紡がれた糸であることを特徴とする、請求項２に記載の肩掛け。
【請求項４】
着用されたときに左右端部は着用者の腕を囲むように環状に編成されていることを特徴とする、請求項１に記載の肩掛け。
【請求項５】
着用されたときに上部は着用者の首を覆うように円筒状に編成されていることを特徴とする、請求項１に記載の肩掛け。
【考案の詳細な説明】
【技術分野】
【０００１】
本考案は、就寝時等の保温のために使用される肩掛けに関する。
【背景技術】
【０００２】
冬の就寝時等に肩や首が冷気に触れて冷えるのを防止するために使用する肩掛けが従来より知られている。この種の従来の肩掛けでは、ウール素材（獣毛繊維）や、毛布またはキルティング加工した素材等、良好な保温性の確保に対応した素材が使用されている（特許文献１、２参照）。
【特許文献１】登録実用新案第３１０２５８９号公報
【特許文献２】実開平６−５５４７０号公報
【考案の開示】
【考案が解決しようとする課題】
【０００３】
ところで、就寝時に着用するものは、着用者に締め付け感や圧迫感を与ない軽いものであることが好ましい。毛布素材やキルティングを使用した従来の肩掛けは、この点で就寝時の着用には適しているとは言えない。また、就寝時に着用するものは、直接に皮膚に触れ易いので、肌触りの良いものが好ましい。これに対し、ウール素材（獣毛繊維）を使用した肩掛けは、直接に肌に触れるとちくちくした感じを着用者に与えるという問題がある。
【０００４】
そこで本考案は、良好な保温性を確保しつつ締め付け感や圧迫感を着用者に与えず且つ肌触りもよい肩掛けを提供することを目的とする。
【課題を解決するための手段】
【０００５】
第１の考案は、肌に触れたときにちくちくしない程度に柔軟な繊維からなる嵩高性を有する糸で編まれた無縫製の編物であることを特徴とする。
【０００６】
第２の考案は、第１の考案において、
前記糸は、綿繊維からなる中空糸であることを特徴とする。
【０００７】
第３の考案は、第２の考案において、
前記糸は、空気精紡機によって紡がれた糸であることを特徴とする。
【０００８】
第４の考案は、第１の考案において、
着用されたときに左右端部は着用者の腕を囲むように環状に編成されていることを特徴とする。
【０００９】
第５の考案は、第１の考案において、
着用されたときに上部は着用者の首を覆うように円筒状に編成されていることを特徴とする。
【考案の効果】
【００１０】
上記第１の考案に係る肩掛けは、肌に触れたときにちくちくしない程度に柔軟な繊維からなる糸で編まれておりかつ無縫製であるので、肌触りが良く、着用者に違和感を与えない。また、柔軟性を有する糸で編まれた編物として作製されているので、伸縮性があり、着用者に締め付け感や圧迫感を与えることもない。更に、編糸として嵩高性を有する糸が使用されていることから、軽量で、空気の含有率が高く保温性も良い。したがって、本考案に係る肩掛けは、就寝時における肩等の保温に好適である。
【００１１】
上記第２の考案に係る肩掛けは、綿を素材とすることにより肌触りが良く吸水性も良いという利点を有すると共に、中空糸で編まれていることから軽量で保温性も高い。
【００１２】
上記第３の考案に係る肩掛けは、空気精紡機によって紡がれた綿繊維からなる中空糸であるので、更に軽量で保温性が良い。
【００１３】
上記第４の考案によれば、左右端部が着用者の腕を囲むように環状に編成されているので、着用者が就寝中に寝返りを打っても、肩掛けが着用者の肩から外れることがなく、肩を確実に保温することができる。
【００１４】
上記第５の考案によれば、上部が着用者の首を覆うように円筒状に編成されているので、首が冷えないように保温することができる。
【考案を実施するための最良の形態】
【００１５】
以下、添付図面を参照して本考案の実施形態について説明する。
図１（ａ）は、本考案の一実施形態に係る肩掛けを示す平面図である。この肩掛け１００は、図１（ｂ）に示すように編物であって、着用者の肩ならびに肩に隣接する胸部分および背中上部を覆う本体部１０と、着用者の首を巻くように円筒状に編成された衿部（以下「高立ち衿部」という）１２とからなる。この肩掛け１００は、綿繊維からなる中空糸２０を使用して無縫製編機等により無縫製の編物として作製される。
【００１６】
図２は、本実施形態に係る肩掛け１００の斜視図である。図２に示すように、この肩掛け１００の左右端部１４，１４は、着用者の腕を囲むように環状に編成されている。すなわち、従来の肩掛けとは異なり、左右端部１４，１４のうち肩を覆う側と反対側の部分１４ｂ，１４ｂが繋がっている（以下、この部分１４ｂ，１４ｂを「左右端部の下方連結部」という。）。
【００１７】
図３は、本実施形態に係る肩掛け１００の着用状態を示す図である。着用状態では、着用者の左右の腕は、肩掛け１００における環状の左右端部１４，１４を貫通する。また、高立ち衿部１２は、着用状態では、通常、その上半分が折り返されて２重となる。
【００１８】
このような肩掛け１００を就寝時に着用すると、冬の寒い時期等に布団の隙間から進入する冷気によって肩等が冷えるのを防止することができる。また、このような肩掛け１００の左右端部１４，１４が環状となっていることから（左右端部の下方連結部１４ｂ，１４ｂの存在により）、就寝時（睡眠中）に寝返りを打った場合であっても、本体部１０が着用者の肩から外れることはない。したがって、就寝中において肩を確実に冷気から防止し保温することができる。さらに、この肩掛け１００は、高立ち衿部１２によって、着用者の首が冷気に触れるのを防止し、首を保温する。
【００１９】
既述のように、本実施形態に係る肩掛け１００は、素材として綿が使用されているので、肌触りがよく、ウール（獣毛）等のように肌に触れたときにちくちくするということはない。また、吸水性もよいので、就寝中に着用者が汗をかいた場合にはその汗を吸収することができる。さらに、この肩掛け１００は、綿繊維からなる中空糸で編まれた編物であることから、良好な保温性を有するのみならず、軽量で伸縮性を有するので、着用者に締め付け感や圧迫感を与えることはない。これらの点から、本実施形態に係る肩掛け１００は、就寝時に着用するという用途に適している。
【００２０】
上記実施形態では、編物としての肩掛け１００の編糸２０として綿繊維からなる中空糸が使用されているが、肌に触れたときにちくちくしない程度に柔軟な繊維からなる嵩高性を有する糸であれば、他の糸を使用してもよい。また、嵩高性、保温性、吸水性等の向上という点から、上記編糸とすべき糸を空気精紡機によって紡ぐのが好ましい。
【００２１】
なお、上記実施形態に係る編物としての肩掛け１００の編み方は、図１（ｂ）に示すものに限定されない。良好な保温性を確保しつつ着用者に締め付け感や圧迫感を与えないような編み方であれば他の編み方を採用してもよい。
【００２２】
また、上記実施形態に係る肩掛け１００は、高立ち衿部１２を含んでいるが、首の保温の必要性が低い場合等には、この高立ち衿部の除去された図４に示すような構成の肩掛け１２０であってもよい。
【図面の簡単な説明】
【００２３】
【図１】本考案の一実施形態に係る肩掛けを示す平面図（ａ）および部分拡大図（ｂ）である。
【図２】上記実施形態に係る肩掛けを示す斜視図である。
【図３】上記実施形態に係る肩掛けの着用状態を説明するための図である。
【図４】上記実施形態の変形例に係る肩掛けを示す平面図である。
【符号の説明】
【００２４】
１０                …肩掛け本体部
１２                …衿部（高立ち衿部）
１４                …左右端部
１４ｂ              …左右端部の下方連結部
２０                …編糸
１００              …肩掛け（実施形態）
１２０              …肩掛け（変形例）
【図１】
0003123923.tif 000003
【図２】
0003123923.tif 000004
【図３】
0003123923.tif 000005
【図４】
0003123923.tif 000006